(57)【要約】【課題】異なる複数の放送方式で共用でき、しかも回路構成の簡単化及び小型化を図り得るクロック生成回路を提供する。【解決手段】従来の電圧制御型水晶発振器に比して周波数可変範囲の広い電圧制御型発振器１１を使用するとともに、分周値を可変設定できる分周器１２，１４を使用するようにし、分周器１２，１４それぞれの分周値を取り扱う地上デジタル放送信号の放送方式に応じて分周値設定テーブル１６から読み出して設定するだけで、１台の電圧制御型発振器１１を各放送方式で共用できるようにしている。【選択図】      図１
2007235578.tif 000002
【特許請求の範囲】
【請求項１】
入力される外部クロック信号を基準クロック信号に生成し、信号処理部にて当該基準クロック信号と複数の放送方式の中から指定された放送方式のデジタル放送信号の信号処理に使用される内部クロック信号とを位相比較することで位相差を検出し、この位相差に基づいて前記内部クロック信号を前記基準クロックに位相同期させるように前記内部クロック信号の発生周波数を制御するクロック生成回路において、
前記信号処理部に設けられ、前記内部クロック信号の発生周波数の可変範囲より広い範囲で内部クロック信号を発生する発振器と、
前記外部クロック信号を指定された放送方式に応じた分周値で分周して前記基準クロック信号を生成する第１の分周器と、
前記発振器から発生された内部クロック信号を指定された放送方式に応じた分周値で分周する第２の分周器と、
前記基準クロック信号と前記第２の分周器の出力信号とを位相比較し、この位相比較結果に基づいて前記発振器の発生周波数を制御する発振制御手段とを具備したことを特徴とするクロック生成回路。
【請求項２】
前記複数の放送方式と前記第１及び第２の分周器に設定すべく分周値との対応関係を示すテーブルを記憶する記憶手段と、
前記放送方式の指定入力に応じて、前記記憶手段から対応する分周値を読み出して前記第１及び第２の分周器にそれぞれ設定する分周制御手段とをさらに備えたことを特徴とする請求項１記載のクロック生成回路。
【発明の詳細な説明】
【技術分野】
【０００１】
この発明は、例えばＩＳＤＢ−Ｔ方式、ＡＴＳＣ方式ＤＶＢ−Ｔといった異なる放送方式に対応したクロック信号を生成するクロック生成回路に関する。
【背景技術】
【０００２】
近年、地上波放送システムにおいて、デジタル放送が開始されている。このデジタル放送においては、映像信号の符号化、多重化などの信号処理を施すスタジオ機器が必要不可欠である。また、デジタル放送では、アナログ放送よりも緻密かつ正確な処理が要求される。
【０００３】
そこで、高安定な基準周波数を外部から得て、この基準周波数をリファレンスとして電圧制御型水晶発振器（ＶＣＸＯ）の制御入力にＰＬＬ（Phase Locked Loop）をかけることで、高精度の信号処理用クロック信号を生成するクロック生成回路を利用することが考えられている（例えば、特許文献１）。
【特許文献１】特開２００１−２７４６７８号公報。
【発明の開示】
【発明が解決しようとする課題】
【０００４】
ところで、上記地上デジタル放送では、日本においてＩＳＤＢ−Ｔ方式が決定されている。なお、日本以外の国では、ＤＶＢ−Ｔ方式やＡＴＳＣ方式を採用しているところもある。この放送方式が異なると、内部で使用されるクロック周波数が異なる。このため、上記クロック生成回路を使用する国や地域によっては、各方式に対応する専用のＶＣＸＯに交換する必要があった。
【０００５】
上記方式ごとに専用のクロック生成回路を用意することは、ハードウェア規模の大形化を招くことになる。
【０００６】
そこで、この発明の目的は、異なる複数の放送方式で共用でき、しかも回路構成の簡単化及び小型化を図り得るクロック生成回路を提供することにある。
【課題を解決するための手段】
【０００７】
この発明は、上記目的を達成するために、以下のように構成される。  
入力される外部クロック信号を基準クロック信号に生成し、信号処理部にて当該基準クロック信号と複数の放送方式の中から指定された放送方式のデジタル放送信号の信号処理に使用される内部クロック信号とを位相比較することで位相差を検出し、この位相差に基づいて内部クロック信号を基準クロックに位相同期させるように内部クロック信号の発生周波数を制御するクロック生成回路において、信号処理部に設けられ、内部クロック信号の発生周波数の可変範囲より広い範囲で内部クロック信号を発生する発振器と、外部クロック信号を指定された放送方式に応じた分周値で分周して基準クロック信号を生成する第１の分周器と、発振器から発生された内部クロック信号を指定された放送方式に応じた分周値で分周する第２の分周器と、基準クロック信号と第２の分周器の出力信号とを位相比較し、この位相比較結果に基づいて発振器の発生周波数を制御する発振制御手段とを備えるようにしたものである。
【０００８】
この構成によれば、従来のＶＣＸＯに比して周波数可変範囲の広い発振器を使用するとともに、分周値を可変設定できる第１及び第２の分周器を使用するようにし、第１及び第２の分周器それぞれの分周値を取り扱うデジタル放送信号の放送方式に応じて設定するだけで、１台の発振器を各放送方式で共用できるようにしている。
【０００９】
従って、各放送方式に応じてループフィルタの時定数等を変更する必要がなく、発振器の発生周波数の精度を基準クロック信号の精度に高めることができ、これにより異なる複数の放送方式で共用でき、回路構成の簡単化及び小型化を実現できる。
【００１０】
複数の放送方式と第１及び第２の分周器に設定すべく分周値との対応関係を示すテーブルを記憶する記憶手段と、放送方式の指定入力に応じて、記憶手段から対応する分周値を読み出して第１及び第２の分周器にそれぞれ設定する分周制御手段とをさらに備えたことを特徴とする。
【００１１】
この構成によれば、テーブルに蓄積管理された放送方式ごとの分周値を用いて、放送方式の指定入力だけで、第１及び第２の分周器にそれぞれ分周値が設定されることになり、これにより手操作で第１及び第２の分周器それぞれの分周値を調整することなく、簡単な手順で適切なクロック生成処理を行い得る。
【発明の効果】
【００１２】
以上詳述したようにこの発明によれば、異なる複数の放送方式で共用でき、しかも回路構成の簡単化及び小型化を図り得るクロック生成回路を提供することができる。
【発明を実施するための最良の形態】
【００１３】
以下、この発明の実施形態について図面を参照して詳細に説明する。  
図１は、この発明に係わるクロック生成回路の一実施形態を示すブロック図である。
【００１４】
図１において、符号１１は電圧制御型発振器（ＶＣＯ）で、地上デジタル放送信号の変調処理に必要なクロック信号を発生するものである。また、この電圧制御型発振器１１は、通常の電圧制御型水晶発振器（ＶＣＸＯ）の周波数可変範囲より広い周波数可変範囲を有するものである。さらに、この実施形態では、電圧制御型発振器１１の発振周波数を安定化させるために、１０ＭＨｚの外部基準信号を使用する。
【００１５】
外部基準信号は、分周器１２でＭ（Ｍは自然数）分周された後、位相比較器（ＰＤ）１３に入力される。また、電圧制御型発振器１１から出力されるクロック信号は、分周器１４でＮ（Ｎは自然数）分周された後、位相比較器１３に入力される。
【００１６】
位相比較器１３は、分周器１２の出力信号と分周器１３の出力信号とを位相比較する。この位相比較結果は、ループフィルタ１５にて電圧制御型発振器１１の制御電圧に変換されて電圧制御型発振器１１に供給される。すると、電圧制御型発振器１１は、発生するクロック信号が外部基準信号に位相同期するように、その発振周波数が制御される。
【００１７】
この実施形態では、分周値設定テーブル１６及び制御部１７が設けられている。このうち、分周値設定テーブル１６には、図２に示すように、放送方式と分周器１２，１４にそれぞれ設定する分周値Ｍ，Ｎとの対応関係を表すデータが記憶されている。
【００１８】
制御部１７は、地上デジタル放送の放送方式を指定した指定情報が入力されると、この指定された放送方式に対応する分周値Ｍ，Ｎを分周値設定テーブル１６から読み出して分周器１２，１４に設定する。
【００１９】
次に、上記構成における運用について説明する。  
図３は、基本的なクロック生成回路を示すブロック図である。なお、図３において、上記図１と同一部分には同一符号を付して詳細な説明を省略する。
【００２０】
ここでは、外部基準信号は共通で、各放送方式に応じた電圧制御型水晶発振器（ＶＣＸＯ）２１を選択し、その出力周波数に応じて分周器２２，２３を選定するようにしている。
【００２１】
地上デジタル放送の放送方式は、現在４種類存在し、そこで使用されるクロック周波数は、以下のように異なっている（基本周波数［ｆｓ］  実際にはサンプリングの都合上、８倍の周波数としている）。
【００２２】
ＩＳＤＢ−Ｔ方式：５１２／６３ＭＨｚ  
ＡＴＳＣ方式    ：４．５＊６８４／２８６ＭＨｚ  
ＤＭＢ−Ｔ方式  ：７．５６ＭＨｚ  
ＤＶＢ−Ｔ方式［８ＭＨｚ帯域］  ：６４／７ＭＨｚ  
ＤＶＢ−Ｔ方式［７ＭＨｚ帯域］  ：（６４／７）＊（７／８）ＭＨｚ  
ＤＶＢ−Ｔ方式［６ＭＨｚ帯域］  ：（６４／７）＊（６／８）ＭＨｚ
ところで、上記放送方式ごとに回路を構成すると、上記回路が対応する方式の数だけ必要になり、ハードウェア規模が大きくなり、現実的でない。
【００２３】
そこで、この実施形態では、電圧制御型水晶発振器２１の代わりに、周波数可変範囲の広い電圧制御型発振器１１を使用し、分周器１２，１４にＰＬＤ（Programmable Logic Device）等を使用して、取り扱う地上デジタル放送信号の放送方式に応じて分周値Ｍ，Ｎを変更する。
【００２４】
位相比較器１３及びループフィルタ１５においては、分周器１２，１４の各出力信号の位相を比較し、ループフィルタ１５で通した後、電圧制御型発振器１１の制御電圧を得る。このループフィルタ１５の時定数は、位相比較器１３の比較周波数に応じて変更する必要があるが、分周値Ｍ，Ｎの値は、その２倍、３倍…と任意に選択できることから、各放送方式に応じて比較周波数として近い値を選択することにより、ループフィルタ１５の時定数を変更せずに実現することが可能となる。
【００２５】
ＩＳＤＢ−Ｔ方式を例に説明すると、Ｍ，Ｎの値をそれぞれ３１０，２０４８として実現することは可能であるが、６１０，４０９６を選択することにより、比較周波数が１５．８７ｋＨｚとなり、ＡＴＳＣ方式の１３．９９ｋＨｚに近い値を選択することが可能となる。
【００２６】
以上のように上記実施形態では、従来の電圧制御型水晶発振器２１に比して周波数可変範囲の広い電圧制御型発振器１１を使用するとともに、分周値Ｍ，Ｎを可変設定できる分周器１２，１４を使用するようにし、分周器１２，１４それぞれの分周値Ｍ，Ｎを取り扱う地上デジタル放送信号の放送方式に応じて分周値設定テーブル１６から読み出して設定するだけで、１台の電圧制御型発振器１１を各放送方式で共用できるようにしている。
【００２７】
従って、各放送方式に応じてループフィルタ１５の時定数等を変更する必要がなく、電圧制御型発振器１１のクロック発生周波数の精度を外部基準信号の精度に高めることができ、これにより異なる複数の放送方式で共用でき、回路構成の簡単化及び小型化を実現できる。
【００２８】
また、上記実施形態では、分周値設定テーブル１６に蓄積管理された放送方式ごとの分周値Ｍ，Ｎを用いて、放送方式の指定入力だけで、制御部１７により分周器１２，１４にそれぞれ分周値Ｍ、Ｎが設定されることになり、これにより手操作で分周器１２，１４それぞれの分周値Ｍ、Ｎを調整することなく、簡単な手順で適切なクロック生成処理を行うことができる。
【００２９】
なお、この発明は上記実施形態に限定されるものではない。例えば図４に示すように、分周値設定テーブル１６及び制御部１７を設けることなく、他の手段によって分周器１２，１４の分周値Ｍ，Ｎを設定するようにしてもよい。この場合、放送方式ごとの分周値Ｍ，Ｎの管理を簡略化すると共に、回路構成を簡単化できる利点がある。
【００３０】
また、上記実施形態では、地上デジタル放送の信号処理装置に適用した場合であるが、他の通信系の信号処理装置におけるクロック生成についても適用可能である。
【００３１】
その他、クロック生成回路の構成等についても、この発明の要旨を逸脱しない範囲で種々変形して実施できる。
【図面の簡単な説明】
【００３２】
【図１】この発明に係わるクロック生成回路の一実施形態を示すブロック図。
【図２】図１に示した分周値設定テーブルの記憶内容の一例を示す図。
【図３】基本的なクロック生成回路を示すブロック図。
【図４】この発明に係わるクロック生成回路の他の実施形態を示すブロック図。
【符号の説明】
【００３３】
１１…電圧制御型発振器（ＶＣＯ）、１２，１４…分周器、１３…位相比較器（ＰＤ）、１５…ループフィルタ、１６…分周値設定テーブル、１７…制御部、２１…電圧制御型水晶発振器（ＶＣＸＯ）。
【図１】
2007235578.tif 000003
【図２】
2007235578.tif 000004
【図３】
2007235578.tif 000005
【図４】
2007235578.tif 000006